(57)【要約】    【課題】ワイヤー繰り出しむらによる張力検出部のアームの振動を減衰させ、ワイヤーのプーリーからの外れをなくすことのできるワイヤー張力検出装置を提供する。    【解決手段】本発明のワイヤー張力検出装置は、回動軸４に導電性円盤１０を固定すると共に、この円盤１０を対向する一対の磁極間に挟むように配置された磁石１１を設けて、アーム１の振動を減衰させることができるように構成されている。【選択図】図１
2005292089.tif 000002
【特許請求の範囲】
【請求項１】
一端が回動軸に固定されたアームと、前記アームの他端に回転自在に取り付けられていて走行中のワイヤーを案内するプーリーと、前記回動軸に前記アームと所定の角度をなして取り付けられたフック部材と、ひずみゲージと、前記フック部材と前記ひずみゲージとを連結するスプリングと、前記ワイヤーを巻き出しスプールから巻き出すためのモーターとを備えていて、前記ひずみゲージのたわみ量に応じて前記モーターの回転速度を制御するようにしたワイヤー張力検出装置において、前記回動軸に導電性円盤を固定すると共に、前記円盤を対向する一対の磁極間に挟むように配置された磁石を設けて、前記アームの振動を減衰させることができるようにしたことを特徴とするワイヤー張力検出装置。
【請求項２】
前記磁石が、前記円盤を挟んで対向するＮ極とＳ極を有するＵ字形の永久磁石または電磁石である請求項１に記載のワイヤー張力検出装置。
【発明の詳細な説明】
【技術分野】
【０００１】
本発明は、ＩＣ用ワイヤー等の熱処理を行なう工程において、ワイヤーの走行速度を一定に維持するために、走行中のワイヤーの張力を正確に検出するワイヤー張力検出装置の改良に関する。
【背景技術】
【０００２】
ＩＣ用ワイヤー等の極細線を熱処理する際に、走行するワイヤーに一定の張力が掛かるように、ワイヤーの繰り出しは、繰り出しモーターとワイヤー張力検出装置とによって制御されるようになっている。このワイヤー張力検出装置は、図２に示す如く、例えば、一端が回動軸４に固定されたアーム１と、このアーム１の他端に回転自在に取り付けられていて走行中のワイヤー２を案内するプーリー３と、回動軸４にアーム１と所定の角度をなして取り付けられたフック部材５と、ひずみゲージ７と、フック部材５とひずみゲージ７とを連結するスプリング６と、ワイヤー２を巻き出しスプール９から巻き出すためのモーター８とを備えていて、ひずみゲージ７のたわみ量に応じてモーター８の回転速度を制御するように構成されている（特許文献１参照）。なお、１２はワイヤー２を熱処理する電気炉、１３は巻き取りスプールである。
【特許文献１】特開平９−３２９５１４号公報
【発明の開示】
【発明が解決しようとする課題】
【０００３】
しかし、上記のワイヤー張力検出装置において、前工程の伸線工程で巻き取られたワイヤーが巻き圧によって巻き出しスプール９に巻かれたワイヤー部分内に食い込んでいたり、伸線液によりワイヤ間での付着があったりすると、巻き出しスプール９の送り出し回転方向にワイヤー２を巻き込み、張力検出部に大きな張力を発生させる。そして、この張力によって巻き出しスプール９のワイヤー部分は引き剥がされることになるが、その際、張力検出部のアーム１は大きく旋回して、アーム１に一定の張力を与えているスプリング６によって大きく振動を繰り返し、ワイヤー２が張力測定装置のアーム１の先端にあるプーリー３から外れ、断線の原因となっていた。
【０００４】
従来装置では、プーリー３の回転数を計測することにより、プーリー３からのワイヤー２の外れを検出して装置を止めることにより断線の防止を図ってきたが、一度外れたワイヤーは、他の部分に接触しながら走行することになり、カールと称する捩じれを発生させて不良品となることや、再スタートのための作業を必要とする等の問題があった。
【０００５】
本発明は、従来装置の有する上記の如き問題点に鑑みてなされたものであり、その目的は、ワイヤー繰り出しむらによる張力検出部のアームの振動を減衰させ、ワイヤーのプーリーからの外れをなくして、断線を防止すると共に稼動率の向上を図ることのできるワイヤー張力検出装置を提供することにある。
【課題を解決するための手段】
【０００６】
上記目的を達成するため、本発明によるワイヤー張力検出装置は、一端が回動軸に固定されたアームと、前記アームの他端に回転自在に取り付けられていて走行中のワイヤーを案内するプーリーと、前記回動軸に前記アームと所定の角度をなして取り付けられたフック部材と、ひずみゲージと、前記フック部材と前記ひずみゲージとを連結するスプリングと、前記ワイヤーを巻き出しスプールから巻き出すためのモーターとを備えていて、前記ひずみゲージのたわみ量に応じて前記モーターの回転速度を制御するようにしたワイヤー張力検出装置において、前記回動軸に導電性円盤を固定すると共に、前記円盤を対向する一対の磁極間に挟むように配置された磁石を設けて、前記アームの振動を減衰させることができるようにしたことを特徴とする。
【０００７】
本発明によれば、前記磁石は、前記円盤を挟んで対向するＮ極とＳ極を有するＵ字形の永久磁石または電磁石である。
【発明の効果】
【０００８】
本発明によれば、運転中、アームの振動を素早く減衰させることによってワイヤーの走行が安定して行なわれ、ワイヤーのプーリーからの外れによる断線を防止し、製品の収率向上と共に生産性の向上を図ることのできる、ワイヤー張力検出装置を提供することができる。
【発明を実施するための最良の形態】
【０００９】
以下、本発明を図示した実施例に基づき説明する。図１は本発明に係るワイヤー張力検出装置の一実施例の要部構成図である。図中の数字符号は既述の従来装置で説明したものと同一の部材を示しているが、１０は回動軸４に固定された導電性の円盤、１１は円盤１０を挟んでＮ極とＳ極とを対向せしめて固定配置されたＵ字形の永久磁石である。この永久磁石１１は、装置の運転中励磁される電磁石であっても良い。他の構成部材は、従来装置のものと同様であるので、説明を省略する。
【００１０】
次に、図２をも参照して、本発明装置の作用を説明する。運転中、正常に走行していたワイヤー２が、ワイヤー間の食い込みや付着によって巻き出しスプール９からの繰り出しが遅れると、アーム１の先端で回転しているプーリー３が巻き出しスプール側に引き寄せられる。その際、アーム１が回動すると共に、回動軸４を介してアーム１と連結しているフック部材５も同方向へ旋回し、フック部材５に連結されたスプリング６が引き伸ばされ、アーム１の回動方向とは逆の方向に張力が掛ることによって、巻き出しスプール９内でワイヤーの引き剥がしが行なわれる。
【００１１】
その結果、ひずみゲージ７のたわみによるモーター８の回転数の増加とワイヤー２のほぐれとによって、ワイヤー２とプーリー３との間にたるみが生じ、アーム１はスプリング６の力によって元の位置を越えて反時計方向に旋回しようとし、その後通常であればアーム１の元の位置を中心に左右に振動を繰り返すことになり、この時点でワイヤー２のプーリー３からの外れが発生する。しかし、アーム１と一緒に回動している導電性円盤１０が磁石１１の磁極間の磁力線に対して直角方向に移動することにより、フレミングの法則から円盤１０に対し移動速度に応じた逆回転力が与えられる結果となり、アーム１とプーリー３の振動を強制的に減衰させる。従って、アーム１は急速に正規の位置に復帰する。
【図面の簡単な説明】
【００１２】
【図１】本発明に係るワイヤー張力検出装置の一実施例の要部構成図である。
【図２】従来のワイヤー張力検出装置の一例の概略図である。
【符号の説明】
【００１３】
１            アーム
２            ワイヤー
３            プーリー
４            回動軸
５            フック部材
６            スプリング
７            ひずみゲージ
８            モーター
９            巻き出しスプール
１０          導電性円盤
１１          磁石
１２          電気炉
１３          巻き取りスプール
【図１】
2005292089.tif 000003
【図２】
2005292089.tif 000004